(57)【要約】【課題】柱と水平部材とのガタを縮小しつつ構造上の強度を補強し、補強に必要なスペースを縮小可能な木造建築物の補強方法を提供する。【解決手段】柱３と柱３の端面３ａに水平面２ａが当接する土台２とを有する木造建築物ＢＬＤ１の補強方法は、互いに直交して断面Ｌ字形を形成する柱側プレート部１１ａ及び水平部材側プレート部１１ｂを有する接合具１１を柱３に固定する工程と、柱３に固定された接合具１１を、水平部材側プレート部１１ｂから土台２の方向へ水平部材側プレート部１１ｂを貫通して土台２に挿入されるラグスクリュー１５により、土台２に固定する工程とを備える。【選択図】図１
2006214135.tif 000002
【特許請求の範囲】
【請求項１】
柱と前記柱の端面に水平面が当接する水平部材とを有する木造建築物の補強方法であって、
互いに直交して断面Ｌ字形を形成する柱側プレート部及び水平部材側プレート部を有する接合具であって、前記柱側プレート部が前記柱の側面に対向配置されて固定され、前記水平部材側プレート部が前記水平部材の前記水平面に対向配置されて固定される接合具を、前記柱に固定する工程と、
前記柱に固定された接合具を、前記水平部材側プレート部から前記水平部材の方向へ前記水平部材側プレート部を貫通して前記水平部材に挿入されるねじ又は釘により、前記水平部材に固定する工程と、
を備える木造建築物の補強方法。
【請求項２】
前記水平部材の水平面に前記水平部材側プレート部を挟んで配置され、２つの前記柱間に横架される補強用水平材に前記接合具を固定する工程を更に備え、
前記接合具を前記柱に固定する工程では、前記水平部材に固定されていない前記柱と前記水平部材に固定されていない前記接合具とを固定し、
前記接合具を前記補強用水平材に固定する工程では、前記水平部材に固定されていない前記補強用水平材と前記水平部材に固定されていない前記接合具とを固定し、
前記接合具を前記水平部材に固定する工程では、前記柱及び前記補強用水平材に固定された前記接合具を、前記補強用水平材から前記水平部材の方向へ前記補強用水平材及び前記水平部材プレート部を貫通して前記水平部材に挿入されるねじ又は釘により、前記水平部材に固定する
請求項１に記載の木造建築物の補強方法。
【請求項３】
柱と水平部材とを有し、前記柱及び水平部材のうち一方の部材の端面が他方の部材の側面に当接する木造建築物の補強方法であって、
互いに直交して断面Ｌ字形を形成する２つのプレート部を有する接合具であって、一方のプレート部が前記一方の部材の側面に対向配置されて固定され、前記他方のプレート部が前記他方の部材の側面に対向配置されて固定される接合具を、前記一方の部材に固定する工程と、
前記一方の部材に固定された接合具を、前記他方のプレート部から前記他方の部材の方向へ前記他方のプレート部を貫通して前記他方の部材に挿入されるねじ又は釘により、前記他方の部材に固定する工程と、
を備える木造建築物の補強方法。
【請求項４】
少なくとも２本の柱と、前記２本の柱の端面に水平面が当接する水平部材とを有する木造建築物の補強構造であって、
互いに直交して断面Ｌ字形を形成する柱側プレート部及び水平部材側プレート部を有する接合具であって、前記柱側プレート部が前記柱の側面に対向配置されて固定され、前記水平部材側プレート部が前記水平部材の前記水平面に対向配置されて固定される接合具と、
前記水平部材の前記水平面に前記水平部材側プレート部を挟んで配置され、前記２本の柱の間に横架される補強用水平材と、
前記接合具から前記補強用水平材の方向へ前記接合具及び前記補強用水平材に挿入されるねじ又は釘と、
前記補強用水平材から前記水平部材の方向へ前記補強用水平材及び前記接合具を貫通し、前記水平部材に挿入されるねじ又は釘と、
を備える木造建築物の補強構造。
【請求項５】
少なくとも２本の柱と、前記２本の柱の端面に水平面が当接する水平部材とを有する木造建築物の補強構造であって、
互いに直交して断面Ｌ字形を成す柱側プレート部及び水平部材側プレート部を有する接合具であって、前記柱側プレート部が前記柱の側面に対向配置されて固定され、前記水平部材側プレート部が前記水平部材の前記水平面に対向配置されて固定される接合具と、
前記水平部材側プレート部に積層されるカバープレートと、
前記カバープレートから前記水平部材の方向へ前記カバープレート及び前記水平部材側プレートを貫通し、前記水平部材に挿入されるねじ又は釘と、
を備える木造建築物の補強構造。
【請求項６】
少なくとも２本の柱と、前記２本の柱の端面に水平面が当接する水平部材とを有する木造建築物の補強構造であって、
互いに直交して断面Ｌ字形を成す柱側プレート部及び水平部材側プレート部を有する接合具であって、前記柱側プレート部が前記柱の側面に対向配置されて固定され、前記水平部材側プレート部が前記水平部材の前記水平面に対向配置されて固定される接合具と、
前記２本の柱に固定される合板と、
を備え、
前記合板は、該合板と前記水平部材との間に開口部が形成されるように配置されている
木造建築物の補強構造。
【請求項７】
少なくとも２本の柱と、前記２本の柱を支持する土台と、前記２本の柱の上端面に水平面が当接して支持される胴差とを有する木造建築物の補強構造であって、
互いに直交して断面Ｌ字形を成す柱側プレート部及び水平部材側プレート部を有する接合具であって、前記柱側プレート部が前記柱の側面に対向配置されて固定され、前記水平部材側プレート部が前記胴差の水平面に対向配置されて固定される接合具と、
互いに直交して断面Ｌ字形を成す柱側プレート部及び水平部材側プレート部を有する接合具であって、前記柱側プレート部が前記柱の側面に対向配置されて固定され、前記水平部材側プレート部が前記土台の水平面に対向配置されて固定される接合具と、
を前記２本の柱それぞれに対して備える木造建築物の補強構造。
【請求項８】
少なくとも２本の柱と、前記２本の柱を支持する土台と、前記２本の柱の上端面に水平面が当接して支持される胴差とを有する木造建築物の補強構造であって、
互いに直交して断面Ｌ字形を成す柱側プレート部及び水平部材側プレート部を有する接合具であって、前記柱側プレート部が前記柱の側面に対向配置されて固定され、前記水平部材側プレート部が前記胴差の水平面に対向配置されて固定される接合具と、
前記柱に固定され、前記土台に挿入されるボルトが挿通されるホールダウン金物と、
を前記２本の柱それぞれに対して備える木造建築物の補強構造。
【請求項９】
前記水平部材側プレート部には、前記柱側プレート部とは反対側に切欠き部が設けられている請求項４〜８のいずれか１項に記載の木造建築物の補強構造。
【請求項１０】
柱と前記柱の端面に水平面が当接する水平部材とを有する木造建築物の補強用接合具であって、
互いに直交して断面Ｌ字形を形成する柱側プレート部及び水平部材側プレート部を備え、
前記水平部材側プレート部は、
ねじ又は釘を挿通するための複数の孔部と、
前記水平部材側プレート部を打ち抜くことにより形成され、Ｌ字の外側に突出する突起部と、
を備える
木造建築物の補強用接合具。
【発明の詳細な説明】
【技術分野】
【０００１】
本発明は、木造建築物の補強方法、木造建築物の補強構造及び木造建築物の補強用接合具に関し、より詳細には、柱と、土台や梁等の水平部材（横臥材）とを有する木造建築物の補強方法等に関する。
【背景技術】
【０００２】
地震が発生したときの柱の浮き上がり防止等の耐震補強方法として、柱と水平部材との固定部（仕口部）に補強用の金物を固定する方法が知られている（例えば特許文献１）。特許文献１では、Ｔ字の平面形状を有する金物等を仕口部に取り付ける技術が開示されている。
【特許文献１】特開平０９−１４４１４３号公報
【発明の開示】
【発明が解決しようとする課題】
【０００３】
建築物においては、部材の寸法誤差や建築時あるいは補強時の作業員の技量等に起因して、柱と水平部材との間にガタが生じる場合がある。この場合、ガタに相当する量だけ柱と水平部材とのずれが生じ易くなり、構造上の強度が低下する。なお、木造建築において当該ガタに着目した補強方法は提案されていない。
【０００４】
ホールダウン金型を用いる補強方法では、柱と水平部材とを密着させる方向にボルトの締結力が作用するために柱と水平部材とのガタを縮小可能と考えられる。しかし、ホールダウン金型を用いる場合には、柱の外周側にホールダウン金型を配置するスペースを要し、ホールダウン金型による補強方法を適用できる範囲は制限されている。
【０００５】
本発明は、柱と水平部材とのガタを縮小しつつ構造上の強度を補強し、補強に必要なスペースを縮小可能な木造建築物の補強方法、木造建築物の補強構造及び木造建築物の補強用接合具を提供することにある。
【課題を解決するための手段】
【０００６】
本発明の第１の観点の木造建築物の補強方法は、柱と前記柱の端面に水平面が当接する水平部材とを有する木造建築物の補強方法であって、互いに直交して断面Ｌ字形を形成する柱側プレート部及び水平部材側プレート部を有する接合具であって、前記柱側プレート部が前記柱の側面に対向配置されて固定され、前記水平部材側プレート部が前記水平部材の前記水平面に対向配置されて固定される接合具を、前記柱に固定する工程と、前記柱に固定された接合具を、前記水平部材側プレート部から前記水平部材の方向へ前記水平部材側プレート部を貫通して前記水平部材に挿入されるねじ又は釘により、前記水平部材に固定する工程と、を備える。
【０００７】
好適には、前記水平部材の水平面に前記水平部材側プレート部を挟んで配置され、２つの前記柱間に横架される補強用水平材（横架材）に前記接合具を固定する工程を更に備え、前記接合具を前記柱に固定する工程では、前記水平部材に固定されていない前記柱と前記水平部材に固定されていない前記接合具とを固定し、前記接合具を前記補強用水平材に固定する工程では、前記水平部材に固定されていない前記補強用水平材と前記水平部材に固定されていない前記接合具とを固定し、前記接合具を前記水平部材に固定する工程では、前記柱及び前記補強用水平材に固定された前記接合具を、前記補強用水平材から前記水平部材の方向へ前記補強用水平材及び前記水平部材プレート部を貫通して前記水平部材に挿入されるねじ又は釘により、前記水平部材に固定する。
【０００８】
本発明の第２の観点の木造建築物の補強方法は、柱と水平部材とを有し、前記柱及び水平部材のうち一方の部材の端面が他方の部材の側面に当接する木造建築物の補強方法であって、
【０００９】
互いに直交して断面Ｌ字形を形成する２つのプレート部を有する接合具であって、一方のプレート部が前記一方の部材の側面に対向配置されて固定され、前記他方のプレート部が前記他方の部材の側面に対向配置されて固定される接合具を、前記一方の部材に固定する工程と、前記一方の部材に固定された接合具を、前記他方のプレート部から前記他方の部材の方向へ前記他方のプレート部を貫通して前記他方の部材に挿入されるねじ又は釘により、前記他方の部材に固定する工程とを備える。
【００１０】
本発明の第３の観点の木造建築物の補強構造は、少なくとも２本の柱と、前記２本の柱の端面に水平面が当接する水平部材とを有する木造建築物の補強構造であって、互いに直交して断面Ｌ字形を形成する柱側プレート部及び水平部材側プレート部を有する接合具であって、前記柱側プレート部が前記柱の側面に対向配置されて固定され、前記水平部材側プレート部が前記水平部材の前記水平面に対向配置されて固定される接合具と、前記水平部材の前記水平面に前記水平部材側プレート部を挟んで配置され、前記２本の柱の間に横架される補強用水平材と、前記接合具から前記補強用水平材の方向へ前記接合具及び前記補強用水平材に挿入されるねじ又は釘と、前記補強用水平材から前記水平部材の方向へ前記補強用水平材及び前記接合具を貫通し、前記水平部材に挿入されるねじ又は釘と、を備える。
【００１１】
本発明の第４の観点の木造建築物の補強構造は、少なくとも２本の柱と、前記２本の柱の端面に水平面が当接する水平部材とを有する木造建築物の補強構造であって、互いに直交して断面Ｌ字形を成す柱側プレート部及び水平部材側プレート部を有する接合具であって、前記柱側プレート部が前記柱の側面に対向配置されて固定され、前記水平部材側プレート部が前記水平部材の前記水平面に対向配置されて固定される接合具と、前記水平部材側プレート部に積層されるカバープレートと、前記カバープレートから前記水平部材の方向へ前記カバープレート及び前記水平部材側プレートを貫通し、前記水平部材に挿入されるねじ又は釘と、を備える。
【００１２】
本発明の第５の観点の木造建築物の補強構造は、少なくとも２本の柱と、前記２本の柱の端面に水平面が当接する水平部材とを有する木造建築物の補強構造であって、互いに直交して断面Ｌ字形を成す柱側プレート部及び水平部材側プレート部を有する接合具であって、前記柱側プレート部が前記柱の側面に対向配置されて固定され、前記水平部材側プレート部が前記水平部材の前記水平面に対向配置されて固定される接合具と、前記２本の柱に固定される合板と、を備え、前記合板は、該合板と前記水平部材との間に開口部が形成されるように配置されている。
【００１３】
本発明の第６の観点の木造建築物の補強構造は、少なくとも２本の柱と、前記２本の柱を支持する土台と、前記２本の柱の上端面に水平面が当接して支持される胴差とを有する木造建築物の補強構造であって、互いに直交して断面Ｌ字形を成す柱側プレート部及び水平部材側プレート部を有する接合具であって、前記柱側プレート部が前記柱の側面に対向配置されて固定され、前記水平部材側プレート部が前記胴差の水平面に対向配置されて固定される接合具と、互いに直交して断面Ｌ字形を成す柱側プレート部及び水平部材側プレート部を有する接合具であって、前記柱側プレート部が前記柱の側面に対向配置されて固定され、前記水平部材側プレート部が前記土台の水平面に対向配置されて固定される接合具と、を前記２本の柱それぞれに対して備える。
【００１４】
本発明の第７の観点の木造建築物の補強構造は、少なくとも２本の柱と、前記２本の柱を支持する土台と、前記２本の柱の上端面に水平面が当接して支持される胴差とを有する木造建築物の補強構造であって、互いに直交して断面Ｌ字形を成す柱側プレート部及び水平部材側プレート部を有する接合具であって、前記柱側プレート部が前記柱の側面に対向配置されて固定され、前記水平部材側プレート部が前記胴差の水平面に対向配置されて固定される接合具と、前記柱に固定され、前記土台に挿入されるボルトが挿通されるホールダウン金物と、を前記２本の柱それぞれに対して備える。
【００１５】
好適には、前記水平部材側プレート部には、前記柱側プレート部とは反対側に切欠き部が設けられている。
【００１６】
本発明の第８の観点の補強用接合具は、柱と前記柱の端面に水平面が当接する水平部材とを有する木造建築物の補強用接合具であって、互いに直交して断面Ｌ字形を形成する柱側プレート部及び水平部材側プレート部を備え、前記水平部材側プレート部は、ねじ又は釘を挿通するための複数の孔部と、前記水平部材側プレート部を打ち抜くことにより形成され、Ｌ字の下側に突出する突起部と、を備える。
【００１７】
なお、本発明の第１〜第８の観点の補強方法、補強構造及び接合具は適宜に組み合わせることが可能である。
【発明の効果】
【００１８】
本発明によれば、柱と水平部材とのガタを縮小しつつ構造上の強度を補強し、補強に必要なスペースを縮小できる。
【発明を実施するための最良の形態】
【００１９】
第１の実施形態
補強構造
図１は、本発明の第１の実施形態の補強構造ＳＴＲ１を示す正面図であり、図２は補強構造ＳＴＲ１を示す断面図である。補強構造ＳＴＲ１は、木造建築物ＢＬＤ１を耐震補強するための壁構造として構成されている。
【００２０】
木造建築物ＢＬＤ１は、例えばいわゆる軸組工法により建設された家屋である。木造建築物ＢＬＤ１は、内壁又は外壁を構成する部材として、コンクリート等で構成された基盤１と、基盤１に支持される土台２と、土台２に支持される柱３と、柱３に支持される胴差４とを備えている。なお、土台２及び胴差４はそれぞれ本発明の水平部材として機能する。
【００２１】
基盤１は、例えばコンクリートにより構成され、土中に下部が埋没するとともに、上部が土中に突出している。土台２は例えば断面矩形の木材により構成され、基盤１の上部に横臥するように配置されている。なお、土台２の上方に床面ＦＬが位置する。
【００２２】
柱３は、例えば断面矩形の木材により構成され、下端面３ａが土台２の上面（水平面、長手方向に対しては側面）２ａに当接して支持されている。また、柱３は、下端面３ａから突出する突出部３ｂが土台２の上面２ａに設けられた穴部３ｂに嵌合挿入されることにより、土台２に対して水平方向の位置決めがなされている。柱３は１本の土台２上に所定の間隔で複数本設けられている。図１では２本の柱３を例示している。
【００２３】
胴差４は、例えば断面矩形の木材により構成され、下面（水平面、長手方向に対しては側面）４ａが柱３の上端面３ｃに当接して支持されている。また、胴差４は、下面４ａに設けられた穴部４ｂに柱３の上端面３ｃから突出する突出部３ｄが嵌合挿入されることにより、柱３に対して水平方向の位置決めがなされている。１本の胴差４は複数本の柱３上に支持されている。図１では２本の柱３により支持されている状態を例示している。なお、胴差４の下方には天井面ＣＬが位置する。土台２、柱３及び胴差４の寸法は適宜に設定してよいが、例えば断面の寸法を同一としてもよい。
【００２４】
補強構造ＳＴＲ１は、木造建築物ＢＬＤ１の構造上の強度を補強するために、２本の柱３に横架される受け材５と、柱３及び受け材５に固定される構造用合板６とを含んでいる。
【００２５】
受け材５は、例えば断面矩形の木材により構成されている。受け材５は複数本配置され、例えば、合板６の上端、中央、下端を固定するために３本配置される。受け材５は、図２に示すように、受け材５の正面側の側面５ａが柱３の正面側の側面３ｅと続するように配置されている。なお、受け材５は例えば柱３に固定された金具７を介して柱３に固定されている。
【００２６】
合板６は、例えば板状の木材により構成され、２本の柱３に亘る幅と、土台２から胴差４までの間隔Ｌ１より短い長さＬ２（例えばＬ１の４／５）とを有している。合板６は、２本の柱３及び受け材５に対してラグスクリュー（ねじ）又は釘等の固定具８により固定されている。合板６は、合板６の下端部６ａと土台２との間に開口部ＳＰ１が確保されるように、また、合板６の上端部６ｂと胴差４との間に開口部ＳＰ２が確保されるように、土台２と胴差４と間の中央側に配置されている。合板６は１枚で構成してもよいし、高さ方向の中段に位置する受け材５の高さの中間の位置で分断される２枚で構成してもよい。
【００２７】
開口部ＳＰ１及びＳＰ２は、後述する接合具１１、１６の土台２、胴差４への固定作業に必要な大きさが確保されればよい。例えば、Ｌ１＝２７３０ｍｍ、Ｌ２＝１８２０ｍｍ、柱間隔（中心間距離）Ｌ３＝９１０ｍｍで、ＳＰ１、ＳＰ２はそれぞれ、概ね４００ｍｍ×８００ｍｍ、２００ｍｍ×８００ｍｍのスペースを確保してもよい。
【００２８】
補強構造ＳＴＲ１は、土台２と柱３との間の引き抜き抵抗を高くして浮きを防止する等の目的で、土台２と柱３とを接合する接合具（第２の接合具）１１と、接合具１１と固定された補強用水平材１２とを備えている。
【００２９】
補強用水平材１２は、例えば断面矩形の木材により構成され、土台２の上面２ａに対して後述する接合部１１の水平部材側プレート部１１ｂを挟んで対向配置され、また、２本の柱３の間に横架されている。補強用水平材１２の長さ（図１の紙面左右方向）は２本の柱３の間隔（側面間の距離）と略同一長さに設定されており、補強用水平材１２は後述する接合部１１の柱側プレート部１１ａを介して２本の柱３間に嵌合している。補強用水平材１２（１７）は、例えば断面１０５ｍｍ×１０５ｍｍで、長さ８００．４ｍｍである。
【００３０】
図３は接合具１１を示す図であり、図３（ａ）は図１の紙面左右方向から見た図であり、図３（ｂ）は図１の紙面垂直方向に見た図であり、図３（ｃ）は図１の紙面上下方向に見た図であり、図３（ｄ）は接合具１１の一部を拡大して示す図である。
【００３１】
接合具１１は例えば金属で構成され、一枚の板を折り曲げ加工することにより形成される。接合具１１は、全体として断面Ｌ字状に形成されており、それぞれ板状に形成されるとともに互いに直交する柱側プレート部１１ａ及び水平部材側プレート部１１ｂを有している。図１にも示すように、柱側プレート部１１ａが、柱３の土台２の延びる側であって他の柱３と対向する側の側面３ｇに対向し、水平部材側プレート部１１ｂが、土台２の上面２ａに対向するように、接合具１１は配置されている。
【００３２】
図３（ａ）及び図３（ｂ）に示すように柱側プレート部１１ａには複数の貫通孔１１ｃが設けられている。図１に示すように、ラグスクリュー又は釘等の固定具１３が柱側プレート部１１ａから柱３の方向へ向かって貫通孔１１ｃに挿通されるとともに、柱３に螺着され又は打ち込まれることにより、接合具１１は柱３に固定されている。なお、固定具１３としてボルト及びナットを用いてもよい。
【００３３】
図３（ｂ）及び図３（ｃ）に示すように水平部材側プレート部１１ｂには複数の貫通孔１１ｄ、１１ｅが設けられている。図１に示すように、ラグスクリュー又は釘等の固定具１４が水平部材側プレート部１１ｂから補強用水平材１２の方向へ向かって貫通孔１１ｄ、１１ｅに挿通され、補強用水平材１２に螺着され又は打ち込まれることにより、接合具１１と補強用水平材１２とは固定されている。なお、固定具１４としてボルト及びナットを用いてもよい。
【００３４】
また、ラグスクリュー又は釘等の固定具１５が補強用水平材１２から水平部材側プレート部１１ｂ及び土台２の方向へ向かって補強用水平材１２を貫通するとともに貫通孔１１ｄ、１１ｅに挿通され、補強用水平材土台２に螺着され又は打ち込まれることにより、接合具１１、補強用水平材１２及び土台２は互いに固定されている。
【００３５】
なお、貫通孔１１ｃ、１１ｄ、１１ｅの数や配置、固定具１３、１４、１５の大きさは適宜に設定してよい。例えば、図３（ｃ）に示すように、水平部材側プレート部１１ｂにおいて、柱側プレート部１１ａ側には貫通孔１１ｄを、柱側プレート部１１ａとは反対側には貫通孔１１ｄよりも径の小さい貫通孔１１ｅを設け、当該貫通孔１１ｅを、接合部１１の土台２に対する位置決め用の比較的径の小さい固定具を挿通する貫通孔として利用するとともに、貫通孔１１ｄを、接合部１１を比較的堅固に土台２に対して固定するための比較的径の大きい固定具を挿通する貫通孔として利用してもよい。
【００３６】
水平部材側プレート部１１ｂには、水平部材側プレート部１１ｂを打ち抜くことにより形成され、Ｌ字の外側、すなわち、土台２側に突出する突起部１１ｆが設けられている。突起部１１ｆは、例えば図３（ｃ）に示すように、平面形状を、柱側プレート部１１ａ側を頂点とし、柱側プレート部１１ａとは反対側を底辺とする２等辺３角形に形成され、当該三角形の底辺で折り曲げられて頂部が土台２側に突出するように打ち抜かれている。また、図３（ｄ）示すように突出部１１ｆの水平部材側プレート部１１ｂに対する折り曲げ角度は直角よりも小さく設定されている。
【００３７】
図１に示すように、補強構造ＳＴＲ１は、柱３と胴差４との間の引き抜き抵抗を高くして浮きを防止する等の目的で、柱３と胴差４とを接合する接合具１６（第１の接合具）と、接合具１６と固定された補強用水平材１７とを備えている。
【００３８】
接合具１６及び補強用水平材１７は、接合具１１及び補強用水平材１２と同様の構成であり、固定具１８による接合具１６の柱３への固定、固定具１９による接合具１６の補強用水平材１７への固定、固定具２０による接合具１６の胴差４への固定は、それぞれ固定具１３による接合具１１の柱３への固定、固定具１４による接合具１１の補強用水平材１２への固定、固定具１５による接合具１１の土台２への固定と同様である。ただし、接合具１６、補強用水平材１７、固定具１８〜２０は、いずれも接合具１１、補強用水平材１２、固定具１３〜１５に対して上下対称に配置されている。なお、以下では、接合具１１の各部１１ａ〜１１ｆに対応する接合具１６の各部を、符号１１を１６に置き換えて各部１６ａ〜１６ｆとして説明することがある。
【００３９】
施工手順
図４は、補強方法の手順を示すフロー図である。まず、既に建築されている木造建築物ＢＬＤ１について事前調査を行う（ステップＳＴ１）。なお、この時点では木造建築物ＣＬＤ１は本実施形態の補強構造ＳＴＲ１による補強はなされていない。事前調査では、補強の可否や補強方法の選択等の施工に必要な種々の情報を得る等の作業を行う。例えば、柱脚部については、接合具１１等の補強用の部材が取り付ける部分に、腐朽や凹凸が無いことを確認し、ゴミを除去する。また、近辺にアンカーボルトがあるか否か調査する。
【００４０】
次に事前調査によって得られた情報に基づいて適宜に補強方法（タイプ）を選択する（ステップＳＴ２）。例えばアンカーボルトの有無、位置に応じて本実施形態や後述する第２〜第４の実施形態のいずれかを選択する。また、例えば柱３の付近の土台２にボルト等が突出しているか否かにより、本実施形態の接合具１１又は後述するＵ字状の接合具を選択する。
【００４１】
補強方法の選択において本実施形態が選択されると、補強用水平材１２、１７に接合具１１、１６が取り付けられる（ステップＳＴ３）。補強用水平材１２、１７の取り付け面の確認し、当該補強用水平材１２、１７を柱３間の取り付け面に位置させる（ステップＳＴ４）。
【００４２】
接合具１１、１８を柱３に固定具１３、１８により固定する（ステップＳＴ５）。次に受け材５を柱３に取り付ける（ステップＳＴ６）。そして、合板６を受け材５に取り付ける（ステップＳＴ７）。
【００４３】
突起部１１ｆ、１６ｆは土台２、胴差４から受ける荷重により補強用水平材１２、１７方向へ変形する。当該変形により、柱３は突起部１１ｆ、１６ｆから土台２、胴差４から離間する方向へ付勢力を受ける。換言すれば、突起部１１ｆ、１６ｆは、柱３と土台２、胴差４との間に介在する板ばね（付勢手段）として機能している。突起部１１ｆ、１６ｆの曲げ剛性が比較的高く設定されている場合、接合具１１、１６の水平部材側プレート部１１ｂ、１６ｂと、土台２又は胴差４との間には隙間が生じている。
【００４４】
次に固定具１５により土台２と接合具１１とを固定するとともに、固定具２０により胴差４と接合具１６とを固定する（ステップＳＴ８）。この際、突起部１１ｆ、１６ｆの付勢力に反して固定具１５、２０の締結が行われる。接合具１１、１６の水平部材側プレート部１１ｂ、１６ｂと、土台２又は胴差４との間に隙間が生じていた場合には、突起部１１ｆ、１６ｆは土台２又は胴差４により押し込められ、当該隙間はなくなる。その後、取り外した床板や天井を再度取り付ける。
【００４５】
なお、接合具１１と土台２との固定（ステップＳＴ８）は、当該固定により、柱３の端面３ａと土台２の上面２ａとの間の隙間が縮小あるいは圧力が増加して、ガタが縮小すればよい。従って、例えば、接合具１１と柱３とを固定具１３により仮止めした状態で、固定具１３による接合具１１と柱３との最終的な締結を行って、固定具１５による接合具１６と土台２との最終的な締結を行うようにしてもよい。接合具１６と胴差４との固定も同様である。
【００４６】
以上の実施形態によれば、接合具１１、１６を柱３に固定した後に、柱３が土台２又は胴差４に対して当接する方向へ接合具１１、１６を押圧して土台２又は胴差４に接合具１１、１６を固定するため、柱３と土台２又は胴差４とのガタが縮小される。
【００４７】
水平部材側プレート部１１ｂ、１６ｂに挿入されるラグスクリュー等によって補強するため、図１の紙面垂直方向や２本の柱３の外側に接合具を設けるスペースを必要とせず、従来に比較して柱３の取り外しや取り付けのために天井や床板等の取り外しや取り付けをしなくてもよい。
【００４８】
開口部ＳＰ１、ＳＰ２が形成されるように合板６が配置されるため、固定具１５、２０により接合具１１、１６を土台２、胴差４に取り付ける作業スペースが確保され、作業が容易になる。
【００４９】
柱３と土台２との固定、柱３と胴差４との固定の双方を補強しているため、構造上の強度が効果的に高くなる。
【００５０】
突起部１１ｆ、１６ｆの付勢力に反して固定具１５、２０の締結を行うから、固定具１５、２０による締結力を大きくすることができる。すなわち、柱３と土台２、胴差４とのガタの縮小と等価の効果が得られる。また、突起部１１ｆ、１６ｆを三角形に打ち抜いて先端を鋭角に形成していることから、先端が土台２、胴差４を噛み込み、接合具１１、１６の固定がより堅固になされる。
【００５１】
第２の実施形態
補強構造
図５は、本発明の第２の実施形態の補強構造ＳＴＲ２を示す図である。第２の実施形態において、第１の実施形態と同一の構成については第１の実施形態と同一の符号を付し、説明を省略する。
【００５２】
第２の実施形態では、第１の実施形態の土台２側に横架される補強用水平材１２に相当する部材が設けられておらず、接合具１１と土台２との固定において第１の実施形態と異なっている。
【００５３】
図６は、接合具１１と土台２との固定部分を拡大して示す断面図である。図６に示すように、接合具１１の水平部材側プレート部１１ｂの上面側（土台２とは反対側）には、カバープレート３１が積層されている。
【００５４】
図７（ａ）はカバープレート３１を図５の紙面上下方向から見た図であり、図７（ｂ）はカバープレート３１を水平部材側プレート部１１ｂに積層した状態で図５の紙面上下方向から見た図である。
【００５５】
カバープレート３１は、例えば金属により構成されている。カバープレート３１は、例えば略矩形の板状に形成されるとともに、水平部材側プレート部１１ｂよりもやや狭く形成されている。例えばカバープレート３１は、土台２の長手方向に直交する方向の幅（図７の上下方向の幅）が水平部材側プレート部１１ｂと略同じ幅に設定されるとともに、土台２の長手方向の長さ（図７の左右方向の長さ）が横臥部材側プレート部１１ｂの長さの８割〜９割に設定されている。また、カバープレート３１は、水平部材側プレート部１１ｂよりも厚く形成されている。例えば、カバープレート３１の厚さは水平部材側プレートの厚さの２倍に設定されている。図６に示すようにカバープレート３１は、縁部３１ａが柱側プレート部１１ａに当接するように配置されており、柱側プレート部１１ａとは反対側においては、水平部材側プレート部１１ｂの端部が露出している。
【００５６】
図７に示すように、カバープレート３１には、水平部材側プレート部１１ｂの複数の貫通孔１１ｄ（図３（ｃ）及び図６参照）にそれぞれ連なる複数の貫通孔３１ｂと、水平部材側プレート部１１ｂの複数の貫通孔１１ｅ（図３（ｃ）及び図６参照）にそれぞれ連なる複数の貫通孔３１ｃとが形成されている。なお、水平部材プレート部１１ｂの複数の貫通孔１１ｅのうち一部についてはカバープレート３１が被せられずに露出している。
【００５７】
図６に示すように、接合具１１は、接合具１１から土台２の方向へ向かって、カバープレート３１が被せられずに露出している貫通孔１１ｅに挿通されて土台２に螺着又は打ち込まれるラグスクリュー又は釘等の固定具３２と、カバープレート３１から土台２の方向へ向かって、カバープレート３１の貫通孔３１ｃ、接合具１１の貫通孔１１ｅに挿通されて土台２に螺着され又は打ち込まれるラグスクリュー又は釘等の固定具３３と、カバープレート３１から土台２の方向へ向かって、カバープレート３１の貫通孔３１ｂ、接合具１１の貫通孔１１ｄに挿通されて土台２に螺着され又は打ち込まれるラグスクリュー又は釘等の固定具３４とにより、土台２に対して固定されている。
【００５８】
なお、固定具３２は接合具１１の位置決めに利用され、固定具３３はカバープレート３１の位置決めに利用され、固定具３４は接合具１１とカバープレート３１及び接合具１１とをより堅固に固定する目的で利用されるものであり、例えば固定具３４には固定具３２、３３よりも径の大きいものが利用される。
【００５９】
施工方法
第２の実施形態においても、第１の実施形態と同様に図４で示した手順で施工してよい。
【００６０】
なお、接合具１１を土台２へ固定する場合には、まず、水平部材側プレート部１１ｂと土台２の上面２ａとの間に所定量（例えば２ｍｍ）の隙間を確保するように、固定具１３により柱側プレート部１１ａを柱３に固定する。この際、固定具３２による接合具１１の位置決めも行う。次に、カバープレート３１を固定具３３により位置決めし、その後、固定具３４により接合具１１と土台２との最終的な締結を行う。
【００６１】
第２の実施形態によれば、第１の実施形態と同様の効果が得られる。また、カバープレート３１が水平部材側プレート部１１ｂに積層されることにより、水平部材プレート部１１ｂの曲げ剛性が補強され、引き抜き抵抗が強化される。
【００６２】
第３の実施形態
補強構造
図８は、本発明の第３の実施形態の補強構造ＳＴＲ３を示す図である。第３の実施形態において、第１の実施形態と同一の構成については第１の実施形態と同一の符号を付し、説明を省略する。
【００６３】
補強構造ＳＴＲ３では、土台２と柱３との間の引き抜き抵抗を高くして浮きを防止する等の目的で、ホールダウン金物（第２の接合具）４１と、ホールダウン金物４１に挿通されるボルト４２が利用される。図９は、ホールダウン金物４１を示す斜視図である。ホールダウン金物４１は、柱３に取り付けるための取り付け部４１ａと、ボルト４２を挿通するためのボルト挿通部４１ｂとを備えている。取り付け部４１ａは長尺な平板状に形成され、ラグスクリュー、ボルト又は釘等の固定具を挿通するための貫通孔４１ｃが長手方向に沿って複数設けられている。挿通部４１ｂには、取り付け部４１ａの長手方向に平行な方向にボルト４２を挿通するための孔部４１ｄが形成されている。
【００６４】
図８に示すように、ホールダウン金物４１は、柱３の土台２が延びる側の側面であって、２本の柱３の外側の側面３ｈに取り付け部４１ａが対向配置され、貫通孔４１ｃ（図９参照）に挿通される不図示の固定具により柱３に固定される。そして、ホールダウン金物４１に挿通されたボルト４２が土台２を貫通するとともに、基盤１に挿入されて、土台２と柱３との固定部の補強がなされる。
【００６５】
施工方法
第３の実施形態においても、第１の実施形態と同様に図４で示した手順で施工してよい。ただし、ステップＳＴ３は省略され、ステップＳＴ５では、ホールダウン金物４１の柱３への固定が行われる。
【００６６】
また、事前調査（ステップＳＴ１）においては、基礎１に耐力劣化がないことを確認したり、基礎１が有筋か無筋かを確認又は推測するなど、基礎１に関する情報を収集等する必要がある。
【００６７】
第３の実施形態によれば、第１の実施形態と同様の効果が得られる。
【００６８】
第４の実施形態
図１０は、本発明の第４の実施形態の補強構造ＳＴＲ３を示す図である。第４の実施形態において、第１及び第３の実施形態と同一の構成については第１及び第３の実施形態と同一の符号を付し、説明を省略する。
【００６９】
第４の実施形態では、ホールダウン金物４１は、柱３の土台２が延びる側の側面であって、２本の柱３の内側の側面３ｇに取り付け部４１ａが対向配置されて、柱３に固定されている。施工方法は第３の実施形態と同様である。
【００７０】
第４の実施形態によれば、第１の実施形態と同様の効果が得られる。
【００７１】
接合具の変形例
図１１は、第１及び第２の実施形態の接合具１１又は１６の変形例である接合具５０を示す図である。接合具５０は、接合具１１と同様の構成を有する。図１１では、接合具１１の各部１１ａ〜１１ｆに対応する接合具５０の各部を、符号１１を５０に置き換えて各部５０ａ〜５０ｂｆとして説明することがある。
【００７２】
接合具５０は、水平部材側プレート部５０ｂの柱側プレート部５０ａとは反対側に切欠き部５０ｈが設けられており、平面形状が略Ｕ字状に形成されている。
【００７３】
また、図１１では、第２の実施形態のカバープレート３１の変形例であるカバープレート５１を点線で示している。カバープレート５１は、水平部材側プレート部５０ｂの柱側プレート部５０ａとは反対側に切欠き部５１ｈが設けられており、平面形状が略Ｕ字状に形成されている。切欠き部５１ｈは、縁部が切欠き部５０ｈの縁部と一致する形状、大きさに形成されている。
【００７４】
この変形例によれば、例えば土台２の上面２ａ上に、土台２を基礎１に固定するためのボルトのボルト頭が突出している場合に、これを避けるようにして水平部材側プレート部５０ｂやカバープレート５１を配置することができる。
【００７５】
本発明は以上の実施形態に限定されず、種々の態様で実施してよい。
【００７６】
本発明は、既に建築されている木造建築物の構造上の強度を補強する際に適用するだけでなく、木造建築物を新築する際に適用してもよい。
【００７７】
水平部材は、柱を支持又は柱により支持され、柱に対して直交するものであばよく、胴差に限定されない。例えば、端面を柱の側面に当接させて柱に支持される梁又は桁であってもよい。
【００７８】
突出部は、当接する土台２等の部材の側面を付勢可能に突出していればよく、その形状、大きさ、プレート部に対する折り曲げ角度は適宜に設定してよい。
【００７９】
カバープレートは、水平部材側プレート部の曲げ剛性を補強できるものであればよく、水平部材側プレート部よりも狭いものや水平部材側プレートよりも厚いものに限定されない。例えば、カバープレートは、水平部材側プレート部と同一の面積あるいはそれ以上の面積を有していてもよいし、水平部材側プレートと同一の厚さあるいはそれ以下の厚さでもよい。
【図面の簡単な説明】
【００８０】
【図１】本発明の第１の実施形態の補強構造を示す図である。
【図２】図１の補強構造を示す断面図である。
【図３】図１の補強構造に含まれる接合具を示す図である。
【図４】本発明の第１の実施形態の施工手順を示すフロー図である。
【図５】本発明の第２の実施形態の補強構造を示す図である。
【図６】図５の補強構造に含まれる接合具を示す図である。
【図７】図５の補強構造に含まれるカバープレートを示す図である。
【図８】本発明の第３の実施形態の補強構造を示す図である。
【図９】図８の補強構造に含まれるホールダウン金物を示す斜視図である。
【図１０】本発明の第４の実施形態の補強構造を示す図である。
【図１１】本発明の第１及び第２の実施形態の補強構造に含まれる接合具の変形例を示す図である。
【符号の説明】
【００８１】
２…水平部材、３…柱、１１…接合具、１１ａ…柱側プレート部、１１ｂ…水平部材側プレート部、１５…ねじ、釘。
【図１】
2006214135.tif 000003
【図２】
2006214135.tif 000004
【図３】
2006214135.tif 000005
【図４】
2006214135.tif 000006
【図５】
2006214135.tif 000007
【図６】
2006214135.tif 000008
【図７】
2006214135.tif 000009
【図８】
2006214135.tif 000010
【図９】
2006214135.tif 000011
【図１０】
2006214135.tif 000012
【図１１】
2006214135.tif 000013